(57)【要約】【課題】  ＨＤＭＩ−ＣＥＣ通信プロトコルにより取得した地域情報を利用する受信装置及び通信方法を提供する。【解決手段】  地域情報に基づいて、放送信号を受信し映像音声信号を出力するチューナ部と、ＨＤＭＩケーブルを介して外部装置と接続するＨＤＭＩ端子と、ＨＤＭＩ端子を介して外部装置とＨＤＭＩ−ＣＥＣ通信を行なってコマンドを受信し、これにより地域情報を取得して管理する管理部をもつ受信装置。【選択図】図１
2008118186.tif 000002
【特許請求の範囲】
【請求項１】
地域情報に基づいて、放送信号を受信し映像音声信号を出力するチューナ部と、
ＨＤＭＩケーブルを介して外部装置と接続するＨＤＭＩ端子と、
前記ＨＤＭＩ端子を介して前記外部装置とＨＤＭＩ−ＣＥＣ通信を行なってコマンドを受信し、これにより前記地域情報を取得して管理する管理部と、
を具備することを特徴とする受信装置。
【請求項２】
前記管理部が管理する前記地域情報に基づいて、前記チューナ部における前記放送信号のチャンネル設定、前記映像音声信号の画質、音質、言語の少なくとも一つを変更する制御部を更に有することを特徴とする請求項１記載の受信装置。
【請求項３】
前記ＨＤＭＩ−ＣＥＣ通信の通信プロトコルに従い、通信データはヘッダブロックとデータブロックを有していることを特徴とする請求項１記載の受信装置。
【請求項４】
前記管理部は、前記地域情報の変化を検出して自動的に更新することを特徴とする請求項１記載の受信装置。
【請求項５】
前記管理部は、前記地域情報の変化を検出して自動的に更新するか否かを設定するための画面を生成することを特徴とする請求項１記載の受信装置。
【請求項６】
前記管理部は、前記地域情報の変化を検出すると、前記地域情報を更新するか否かを尋ねるための画面を生成することを特徴とする請求項１記載の受信装置。
【請求項７】
前記地域情報は、国情報と前記国の中の地域情報とを含むことを特徴とする請求項１記載の受信装置。
【請求項８】
ＨＤＭＩケーブルを介して記録媒体の再生装置から外部装置に所定情報を送信する通信方法であって、
ＨＤＭＩ端子と前記ＨＤＭＩケーブルを介して前記再生装置と前記外部装置との間で認証処理を行い、
前記再生装置において前記記録媒体に格納された所定情報を読み出し、
前記ＨＤＭＩ端子のＣＥＣ端子を介して、ＨＤＭＩ−ＣＥＣ通信を行なって、コマンドを前記再生装置から前記外部装置に送信することで、前記記録媒体から読み出した前記所定情報を前記外部装置に供給することを特徴とする通信方法。
【請求項９】
ＨＤＭＩケーブルを介して記録媒体の再生装置から受信装置が地域情報を取得する通信方法であって、
ＨＤＭＩ端子と前記ＨＤＭＩケーブルを介して前記再生装置と前記外部装置との間で認証処理を行い、
前記再生装置において前記記録媒体に格納された前記地域情報を読み出し、
前記ＨＤＭＩ端子のＣＥＣ端子を介して、ＨＤＭＩ−ＣＥＣ通信を行なってコマンドを前記再生装置から前記外部装置に送信することで、前記記録媒体から読み出した前記地域情報を前記受信装置が取得し、
前記受信装置は取得した前記地域情報に基づいて、放送信号を受信し映像音声信号を出力することを特徴とする通信方法。
【発明の詳細な説明】
【技術分野】
【０００１】
この発明は、ＨＤＭＩ−ＣＥＣ通信プロトコルを用いて取得した地域情報に基づいて受信処理を行なう受信装置とその通信方法に関する。
【背景技術】
【０００２】
最近、デジタル技術の発展に伴い、デジタル放送等を受信する受信技術が開発されそのための受信機も普及してきている。このような受信機においては、放送を受信する地域情報として地域コードを用いることで、その地域の映像音声信号の画質、音質、言語、又、チャンネル設定等を行なうことができる。
【０００３】
特許文献１が示すシステムは、送信機器が書くコンテンツに対応付けられた地域コードを多重化して放送データとして送出し、受信装置は、送信されてくる複数のコンテンツデータと地域コードを受信し、この地域コードに対応付けられたコンテンツデータを選択して映像音声出力手段によって出力を行なっている。このように特許文献１は、受信地域等に応じて適切な内容の放送を自動的に選択して受信することが可能なシステムが開示されている。
【特許文献１】特開２００１−１１１５０３公報
【発明の開示】
【発明が解決しようとする課題】
【０００４】
しかし、上述した特許文献１の従来技術は、このような地域コードは放送データから取得する場合に限られているのであり、外部の記録媒体の再生装置から、例えば、ＨＤＭＩ−ＣＥＣ通信プロトコルによる通信を用いて地域コードを取得する場合について説明されていないという問題がある。
【０００５】
本発明は、ＨＤＭＩ−ＣＥＣ通信プロトコルにより取得した地域情報を利用する受信装置及び通信方法を提供することを目的とする。
【課題を解決するための手段】
【０００６】
課題を解決するための一実施形態は、
地域情報に基づいて、放送信号を受信し映像音声信号を出力するチューナ部（１４）と、ＨＤＭＩケーブルを介して外部装置（Ｃ）と接続するＨＤＭＩ端子（１９）と、前記ＨＤＭＩ端子を介して前記外部装置とＨＤＭＩ−ＣＥＣ通信を行なってコマンドを受信し、これにより前記地域情報を取得して管理する管理部（１１）を具備することを特徴とする受信装置である。
【発明の効果】
【０００７】
例えば、ユーザが転居した場合に地域コードを格納したＤＶＤをサービスセンターから入手しこれをＴＶにＨＤＭＩケーブル等で接続したＤＶＤプレーヤで再生することで、ＴＶに対して容易に転居先の地域コードの設定を行なうことができる。
【発明を実施するための最良の形態】
【０００８】
以下、この発明の実施の形態について図面を参照して詳細に説明する。
【０００９】
＜本発明の一実施形態である受信装置＞
以下に、本発明の一実施形態である受信装置とこれにＨＤＭＩケーブルで接続された記録媒体の再生装置について、図面を用いて詳細に説明する。図１は、本発明の一実施形態に係る放送受信装置の構成の一例を示すブロック図である。図２は、本発明の一実施形態に係る放送受信装置が有するＨＤＭＩの端子配列を示す説明図である。
【００１０】
（受信装置の構成と動作）
図１の受信装置１０は、ＨＤＭＩ−ＣＥＣ対応のテレビジョン装置であり、制御部３０は、全体の動作を司るべくデータバスを介して各部に接続されている。
【００１１】
又、図１の受信装置１０は、再生側を構成するＭＰＥＧデコーダ部１６と、装置本体の動作を制御する制御部３０とを主たる構成要素としている。受信装置１０は、入力側のセレクタ１４と出力側のセレクタ１９とを有しており、入力側のセレクタ１４には、ＬＡＮ等やメール機能をもった通信部１１と、いわゆる衛星放送（ＢＳ／ＣＳ）チューナ部１２と、いわゆる地上波チューナ部１３とが接続される。又、ＢＳ／ＣＳチューナ部１２には衛星アンテナが、地上波チューナ部１３には地上波アンテナが接続されている。
【００１２】
更に、受信装置１０は、ＭＰＥＧデコーダ部１６、分離部１７、後述する地域情報管理部３４、地域情報を格納する記憶部３５を有している。これらの各部は、データバスを介して制御部３０に接続されている。更に、セレクタ部１９の出力は、表示部２１に接続され、外部装置との通信を行うインタフェース部２２を介して外部装置に供給される。
【００１３】
更に、受信装置１０は、データバスを介して制御部３０に接続され、ユーザの操作やリモコンＲの操作を受ける操作部３２を有している。ここで、リモコンＲは、受信装置１０の本体に設けられる操作部３２とほぼ同等の操作を可能とするものであり、チューナの操作等、各種設定が可能である。受信装置１０は、ＨＤＭＩ端子２０が制御部３０及びデータバスに接続されている。ＨＤＭＩ端子２０は、制御部３０や地域情報管理部３４と共に動作することで、外部の機器とＨＤＭＩ−ＣＥＣ通信プロトコルに応じて、双方向通信を可能とする。
【００１４】
又、このＨＤＭＩ端子２０は、図２に示すようなコネクタピン配列を有しており、特に１３ピンのＣＥＣ信号５１によって、後述するＨＤＭＩ−ＣＥＣプロトコルに準拠して定義されたコマンドを送受信することで、例えば、地域コード等の地域情報を送受信することが可能となる。
【００１５】
このＨＤＭＩ−ＣＥＣ対応テレビジョンである受信装置１０は、放送信号が受信アンテナから各チューナ部１２，１３に入力され、ここで選局が行われる。選局された映像音声信号は、ＭＰＥＧデコーダ部１６等でデコード処理され、音声映像処理部１８に供給される。同様に、ＭＰＥＧデコーダ部１６や音声映像処理部１８へは、ＶＴＲやＤＶＤ等の外部機器とＨＤＭＩ端子２０で接続した信号も入力される。
【００１６】
これらの入力信号は、制御部３０により管理され、音声映像処理部１８に入力する信号に切り換えられる。
【００１７】
また選局及び入力切換を行うべく、リモコンＲからの操作信号が操作部３２を介して制御部３０に供給され、この結果、ＭＰＥＧデコーダ部１６や音声映像処理部１８が制御される。音声映像処理部１８で処理された映像信号がセレクタ部１９を介して表示部２１に表示される。又、音声信号も図示しないスピーカ等に供給される。
【００１８】
又、地域情報管理部３４は、後述するように制御部３０と共に動作して、ＨＤＭＩ端子等を介して外部の記録媒体の再生装置から取得した地域コード等の地域情報を管理する。これにより、各チューナ１２，１３等は、この地域コード等に基づく適切な放送信号のチャンネル設定、映像音声信号の画質、音質、言語の少なくとも一つを最適化して適切な再生処理を可能とするものである。
【００１９】
＜地域コードの初期設定処理＞
次に、本発明に係る放送受信装置の地域コードの初期設定処理について、以下にフローチャートを用いて詳細に説明する。図３は、本発明の一実施形態に係る放送受信装置の初期設定処理の一例を示すフローチャートである。
【００２０】
なお、以下の図３及び図４のフローチャートの各ステップは、回路ブロックに置き換えることができ、従って、各フローチャートのステップは、全てブロックに定義しなおすことが可能である。
【００２１】
受信装置１０とこれに接続された例えばＤＶＤ等の記録媒体の再生装置４０との間における地域コードの初期設定処理について、ユーザの操作も含めて図３のフローチャートに従って詳細に説明する。
【００２２】
ここでは、一例として、ヨーロッパに在住するユーザがスペインからフランスに転居し、このとき、メーカ等からフランス用の初期設定用のＤＶＤを送付され、このＤＶＤを利用して、フランス用のＴＶの初期設定処理を効率的に行なう場合を説明する。
【００２３】
初めに、ユーザは、送られてきたセットアップ（初期設定）ＤＶＤをＨＤＭＩ対応ＤＶＤプレーヤ４０に挿入する。ＨＤＭＩ対応ＤＶＤプレーヤ４０は、ディスクを自動検出して、データの読み出しを開始する（ステップＳ１２）。又、放送受信装置１０の制御部３０がＨＤＭＩ接続された機器であるＨＤＭＩ対応ＤＶＤプレーヤ４０の認証処理を行なう。なお、以下の実施形態でのＨＤＭＩ−ＣＥＣ通信において、特に送信先を特定していないが、送信相手のアドレスを識別した上で送受信することも好適である。この認証処理により相手が正当な機器であると判断すると、制御部３０はＨＤＭＩ−ＣＥＣ通信を用いて、例えばＤＶＤのメディアから地域コードを読み出すべくコマンドを送信する。
【００２４】
・ＣＥＣ通信プロトコル
ここで、図４は、本発明の一実施形態に係る放送受信装置のＨＤＭＩ−ＣＥＣ通信のプロトコルの一例を示すフローチャートであり、ＣＥＣ通信プロトコルについて、図４のフローチャートを用いて説明する。
【００２５】
すなわち、初めに、ＣＥＣ通信は、上述したＣＥＣ端子５１のみを用いて行なわれる通信であり、Special Start Bit方法によりスタートされるもので、Ｌｏｗを３．７ｍｓ出力し、Ｈｉｇｈを０．８ｍｓ出力することとなっている（ステップＳ３１）。
【００２６】
次に、ヘッダブロックが送信され、合計２．４ｍｓ中、最初の０．６ｍｓ間だけＬｏｗを出力し、最後の０．９ｍｓ間Ｈｉｇｈを出力し、中間の１．０５ｍｓで１ｂｉｔのＨｉｇｈ／Ｌｏｗを判定することを１０ｂｉｔ分行なう（ステップＳ３２）。
【００２７】
次に、オペコードブロックのデータブロックが出力され、ヘッダブロックと同様の出力方法により出力される（ステップＳ３３）。次に、オペランドブロックのデータブロックが出力され、ヘッダブロックと同様の出力方法により出力される（ステップＳ３４）。そして、ステップＳ３４と同様にデータブロックは最大１６ｂｙｔｅまで送信することが可能となる（ステップＳ３５）。
【００２８】
なお、このような通信プロトコルで送られる地域コードは、単に国名だけではなく、図７のようなCOUNTRY設定値とさらに詳細なREGION設定値を持つものであることが好適である。
【００２９】
受信装置１０においては、制御部３０及び地域情報管理部３４の働きにより、地域コード通知コマンドによりＣＥＣ通信プロトコルで送られてきた地域コードが、受信装置１０の記憶部３５等に格納されている地域コードと比較する（ステップＳ１４）。
【００３０】
そして、制御部３０及び地域情報管理部３４が両者が異なるものと判断すると（ステップＳ１５）、図６に示すような新たな地域コードの更新処理を行なうかどうかを尋ねる画面を表示する（ステップＳ１６）。
【００３１】
なお、このような地域コードが新しく供給されたかどうかを常に検出する地域コード自動検出機能を設定するかどうかを尋ねる図５のような画面を、受信装置１０の設置の際や一定期間毎に表示しして、ユーザの指示を促すことが好適である。
【００３２】
ステップＳ１６の地域コードの更新処理の是非を問う画面に対して、ユーザが初期設定の地域コード更新を希望するとする操作信号をリモコンＲ等で出力する（ステップＳ１７）。これに対して、受信装置１０は、ＤＶＤプレーヤ４０等に対して指示信号を送り、ＤＶＤプレーヤ４０は、初期設定データである地域コードをＤＶＤの記憶領域から読み出す。具体的には、国情報、言語情報、チャンネル情報（周波数テーブル）、映像音声パラメータ等が代表的なものであるがこれに限定されない。
【００３３】
読み出された地域コードである初期設定データは、上述したＨＤＭＩ−ＣＥＣ通信プロトコルに従ってＨＤＭＩ−ＣＥＣ通信により、ＤＶＤプレーヤ４０から受信装置１０へと送信される（ステップＳ１９）。
【００３４】
これに対して、受信装置１０では、受信した初期設定データを例えば記憶部３５に格納する（ステップＳ２０）。このときの初期設定データとは、国情報、言語情報、チャンネル情報（周波数テーブル）、映像音声パラメータ等である。この結果、受信装置１０は、一例として、スペインの初期設定からフランスの初期設定に更新される。
【００３５】
そして、受信装置１０では、初期設定が終了して、スペインの初期設定からフランスの初期設定に更新されたことを表示部２１に表示する（ステップＳ２１）。又、ＤＶＤプレーヤ４０に対しては、再び、ＨＤＭＩ−ＣＥＣ通信により、ＤＶＤストップコマンドを送信することで、ＤＶＤプレーヤ４０は、動作を停止させる。  
以上、詳細に説明したように、本発明の一実施形態に係るＨＤＭＩ−ＣＥＣ通信機能をもった受信装置１０及びＤＶＤプレーヤ４０において、ユーザはＨＤＭＩ接続されたＤＶＤ等の外部機器で地域コードが記録されたメディアを再生することにより、ユーザがリモコン操作によるＭＥＮＵ操作で映像設定、音声設定、チャンネル設定等することなく、自動的にＴＶの映像設定、音声設定、チャンネル設定等をその地域に最適な設定値にすることができる。
【００３６】
例えば、ユーザが他地域に転居した場合、その地域用のセットアップディスクをサービスセンターから入手することで、簡単かつ誤操作なくチャンネル設定を行うことが可能である。また同放送形式で異なるCOUNTRYに転居した場合などは、映像パラメータ、音声パラメータまでも同国にあった設定にすることを可能とし、セットの付加価値を向上させることができる。
【００３７】
又、その他の実施形態としては、上述した地域コード等の地域情報は、文字放送の際の言語を提供することにしようすることも好適である。
【００３８】
又、更に、上述した実施形態では、ＨＤＭＩ−ＣＥＣ通信プロトコルを地域情報の更新について適用したが、本発明の権利範囲はこの範囲だけに限定されるものではなく、他の信号の通信に対しても適用可能であることは言うまでもない。
【００３９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４０】
【図１】本発明の一実施形態に係る放送受信装置の構成の一例を示すブロック図。
【図２】本発明の一実施形態に係る放送受信装置が有するＨＤＭＩの端子配列を示す説明図。
【図３】本発明の一実施形態に係る放送受信装置の初期設定処理の一例を示すフローチャート。
【図４】本発明の一実施形態に係る放送受信装置のＨＤＭＩ−ＣＥＣ通信のプロトコルの一例を示すフローチャート。
【図５】本発明の一実施形態に係る放送受信装置における地域コード検出による自動切換え機能の設定画面の一例を示す説明図。
【図６】本発明の一実施形態に係る放送受信装置における地域コード変更時のユーザ確認画面の一例を示す説明図。
【図７】本発明の一実施形態に係る放送受信装置が扱う地域コードの定義の一例を示す説明図。
【符号の説明】
【００４１】
１０…受信装置、１１…通信部、１４…セレクタ、１９…セレクタ、Ｒ…リモコン、３０…制御部、３２…操作部、３４…地域情報管理部、３５…記憶部。
【図１】
2008118186.tif 000003
【図２】
2008118186.tif 000004
【図３】
2008118186.tif 000005
【図４】
2008118186.tif 000006
【図５】
2008118186.tif 000007
【図６】
2008118186.tif 000008
【図７】
2008118186.tif 000009